(57)【特許請求の範囲】
【請求項１】
筐体と、
前記筐体の上部に設けられる天板と、
火炎が形成される炎孔部を有する本体部を備え、該本体部が前記天板に設けられるバーナ開口部を上下に挿通するように設けられるコンロバーナと、
前記筐体内に取り付けられるグリルユニットと
を備えたコンロにおいて、
前記筐体の前面は、
前記グリルユニットの前方に位置するグリル用開口と、
前記グリル用開口の上側に位置する上枠部と
を備え、
前記グリルユニットは、
正面視上方に向けて開口するコの字型に形成され、内側に調理空間を形成する下ユニットと、
前記下ユニットの開放された上部に積み重ねて装着され、グリルバーナが設けられた上ユニットと
を備え、
前記下ユニットの前端部には、前記グリル用開口の縁部から後方に延びる下側取付片を差し込む為の下側差込孔が設けられ、
前記上ユニットの前端部には、前記上枠部から後方に延びる上側取付片を差し込む為の上側差込孔が設けられ、
前記下ユニットの左右の両側壁の夫々の上端部には、上方向に面方向を有し、且つ上下方向に貫通する第一固定孔を備えた第一取付部が設けられ、
前記上ユニットの左右の両端部には、下方向に面方向を有し、且つ前記第一取付部の前記第一固定孔に対向する位置において上下方向に貫通する第二固定孔を備えた第二取付部が設けられ、
前記下側差込孔に前記下側取付片が差し込まれ、前記上側差込孔に前記上側取付片が差し込まれた状態で、前記第一取付部に対して前記第二取付部が上方から当接され、前記第一固定孔と前記第二固定孔とが、上下方向に互いに重合して螺子止め固定されていること
を特徴とするコンロ。
【請求項２】
前記上側取付片の後方に延びる先端部は上方に屈曲していること
を特徴とする請求項１に記載のコンロ。
【請求項３】
前記上枠部は、
左右方向に延び、且つ上下方向に面方向を有する上面部と、
前記上面部の前端部から下方に延び、且つ前後方向に面方向を有する前面部と
を有し、
前記上側取付片は、前記前面部の下端部に設けられ、
前記上面部、若しくは前記上面部と前記前面部に跨る位置には、前記上枠部を上方から見たときに、前記上側取付片を視認可能な開口部が設けられていること
を特徴とする請求項１又は２に記載のコンロ。
【請求項４】
前記上ユニットの上側には、前記グリルユニットの熱を遮断する為の遮熱板が設けられ、
前記上ユニット、及び前記遮熱板には、相互に位置決めする第一位置決め部が設けられ、
前記遮熱板の左右の両端部には、下方向に面方向を有し、且つ上下方向に貫通する第三固定孔を有する第三取付部が設けられ、
前記第三取付部は、前記上ユニットの前記第二取付部に対して上方から当接され、
前記第一取付部の前記第一固定孔、前記第二取付部の前記第二固定孔、前記第三取付部の前記第三固定孔、が上下方向に互いに重合して螺子止め固定されていることを特徴とする請求項１から３の何れかに記載のコンロ。
【請求項５】
前記グリルユニットの左右のうち少なくとも何れか一方には、前記コンロバーナ及び電装部品を取り付ける為のバーナ取付台が設けられ、
前記バーナ取付台、及び前記遮熱板には、相互に位置決めする第二位置決め部が設けられ、
前記バーナ取付台には、下方向に面方向を有し、且つ上下方向に貫通する第四固定孔を有する第四取付部が設けられ、
前記第四取付部は、前記遮熱板の前記第三取付部に対して上方から当接され、
前記第一取付部の前記第一固定孔、前記第二取付部の前記第二固定孔、前記第三取付部の前記第三固定孔、前記第四取付部の前記第四固定孔、が上下方向に互いに重合して螺子止め固定されていることを特徴とする請求項４に記載のコンロ。
【請求項６】
前記バーナ取付台は、前記遮熱板と前記筐体の左右方向の側壁との間に渡設され、
前記バーナ取付台の前記側壁側の一端部には、前記側壁に設けられた筐体側差込孔に差し込む為の台側取付片が設けられ、
前記第四取付部は、前記一端部とは反対の他端側に設けられていること
を特徴とする請求項５に記載のコンロ。
【請求項７】
前記グリルユニットの左右のうち少なくとも何れか一方には、前記コンロバーナ及び電装部品を取り付ける為のバーナ取付台が設けられ、
前記バーナ取付台には、下方向に面方向を有し、且つ上下方向に貫通する第四固定孔を有する第四取付部が設けられ、
前記第四取付部は、前記上ユニットの前記第二取付部に対して上方から当接され、
前記第一取付部の前記第一固定孔、前記第二取付部の前記第二固定孔、前記第四取付部の前記第四固定孔、が上下方向に互いに重合して螺子止め固定されていることを特徴とする請求項１から３の何れかに記載のコンロ。
【発明の詳細な説明】
【技術分野】
【０００１】
本発明は、コンロに関する。
【背景技術】
【０００２】
従来、筐体の内側に、グリルユニットを備えるコンロが知られている（例えば、特許文献１参照）。グリルユニットは、内側に調理空間を形成する下ユニットと、該下ユニットの上部に装着され、グリルバーナが設けられた上ユニットを備える。上ユニットと天板の間には、グリルユニットから天板に伝わる熱を遮断する為の遮熱板が設けられる。グリルユニットの左右両側には、バーナ取付台が設けられる。バーナ取付台には、コンロバーナが取り付けられる。
【先行技術文献】
【特許文献】
【０００３】
【特許文献１】特開２０１４−５４４６６号公報
【発明の概要】
【発明が解決しようとする課題】
【０００４】
上記コンロは、グリルユニット、遮熱板、バーナ取付台を互いに固定する為の固定用部品を備えており、その固定用部品に対して、グリルユニット等の各部品を別個にネジ止めする必要があった。それ故、ネジ止め箇所が多くて、作業効率に難があり、組立性能を低下させる要因となっていた。しかも多くのネジが必要となるので、費用がかかるという問題点もあった。
【０００５】
本発明の目的は、組立性能を向上できるコンロを提供することである。
【課題を解決するための手段】
【０００６】
請求項１に係る発明のコンロは、筐体と、前記筐体の上部に設けられる天板と、火炎が形成される炎孔部を有する本体部を備え、該本体部が前記天板に設けられるバーナ開口部を上下に挿通するように設けられるコンロバーナと、前記筐体内に取り付けられるグリルユニットとを備えたコンロにおいて、前記筐体の前面は、前記グリルユニットの前方に位置するグリル用開口と、前記グリル用開口の上側に位置する上枠部とを備え、前記グリルユニットは、正面視上方に向けて開口するコの字型に形成され、内側に調理空間を形成する下ユニットと、前記下ユニットの開放された上部に積み重ねて装着され、グリルバーナが設けられた上ユニットとを備え、前記下ユニットの前端部には、前記グリル用開口の縁部から後方に延びる下側取付片を差し込む為の下側差込孔が設けられ、前記上ユニットの前端部には、前記上枠部から後方に延びる上側取付片を差し込む為の上側差込孔が設けられ、前記下ユニットの左右の両側壁の夫々の上端部には、上方向に面方向を有し、且つ上下方向に貫通する第一固定孔を備えた第一取付部が設けられ、前記上ユニットの左右の両端部には、下方向に面方向を有し、且つ前記第一取付部の前記第一固定孔に対向する位置において上下方向に貫通する第二固定孔を備えた第二取付部が設けられ、前記下側差込孔に前記下側取付片が差し込まれ、前記上側差込孔に前記上側取付片が差し込まれた状態で、前記第一取付部に対して前記第二取付部が上方から当接され、前記第一固定孔と前記第二固定孔とが、上下方向に互いに重合してネジ止め固定されていることを特徴とする。
【０００７】
請求項２に係る発明のコンロは、請求項１に記載の構成に加え、前記上側取付片の後方に延びる先端部は上方に屈曲していることを特徴とする。
【０００８】
請求項３に係る発明のコンロは、請求項１又は２に記載の構成に加え、前記上枠部は、左右方向に延び、且つ上下方向に面方向を有する上面部と、前記上面部の前端部から下方に延び、且つ前後方向に面方向を有する前面部とを有し、前記上側取付片は、前記前面部の下端部に設けられ、前記上面部、若しくは前記上面部と前記前面部に跨る位置には、前記上枠部を上方から見たときに、前記上側取付片を視認可能な開口部が設けられていることを特徴とする。
【０００９】
請求項４に係る発明のコンロは、請求項１から３の何れかに記載の構成に加え、前記上ユニットの上側には、前記グリルユニットの熱を遮断する為の遮熱板が設けられ、前記上ユニット、及び前記遮熱板には、相互に位置決めする第一位置決め部が設けられ、前記遮熱板の左右の両端部には、下方向に面方向を有し、且つ上下方向に貫通する第三固定孔を有する第三取付部が設けられ、前記第三取付部は、前記上ユニットの前記第二取付部に対して上方から当接され、前記第一取付部の前記第一固定孔、前記第二取付部の前記第二固定孔、前記第三取付部の前記第三固定孔、が上下方向に互いに重合してネジ止め固定されていることを特徴とする。
【００１０】
請求項５に係る発明のコンロは、請求項４に記載の構成に加え、前記グリルユニットの左右のうち少なくとも何れか一方には、前記コンロバーナ及び電装部品を取り付ける為のバーナ取付台が設けられ、前記バーナ取付台、及び前記遮熱板には、相互に位置決めする第二位置決め部が設けられ、前記バーナ取付台には、下方向に面方向を有し、且つ上下方向に貫通する第四固定孔を有する第四取付部が設けられ、前記第四取付部は、前記遮熱板の前記第三取付部に対して上方から当接され、前記第一取付部の前記第一固定孔、前記第二取付部の前記第二固定孔、前記第三取付部の前記第三固定孔、前記第四取付部の前記第四固定孔、が上下方向に互いに重合してネジ止め固定されていることを特徴とする。
【００１１】
請求項６に係る発明のコンロは、請求項５に記載の構成に加え、前記バーナ取付台は、前記遮熱板と前記筐体の左右方向の側壁との間に渡設され、前記バーナ取付台の前記側壁側の一端部には、前記側壁に設けられた筐体側差込孔に差し込む為の台側取付片が設けられ、前記第四取付部は、前記一端部とは反対の他端側に設けられていることを特徴とする。
【００１２】
請求項７に係る発明のコンロは、請求項１から３の何れかに記載の構成に加え、前記グリルユニットの左右のうち少なくとも何れか一方には、前記コンロバーナ及び電装部品を取り付ける為のバーナ取付台が設けられ、前記バーナ取付台には、下方向に面方向を有し、且つ上下方向に貫通する第四固定孔を有する第四取付部が設けられ、前記第四取付部は、前記上ユニットの前記第二取付部に対して上方から当接され、前記第一取付部の前記第一固定孔、前記第二取付部の前記第二固定孔、前記第四取付部の前記第四固定孔、が上下方向に互いに重合して螺子止め固定されていることを特徴とする。
【発明の効果】
【００１３】
請求項１に係る発明のコンロでは、グリルユニットを構成する下ユニットの前端側を下げた状態で筐体内に挿入し、グリル用開口の縁部に設けられた下側取付片を、下ユニットの前端部に設けられた下側差込孔に差し込むことによって、下ユニットの前端部が下側取付片によって位置決めされる。次いで、下ユニットと同様に、上ユニットの前端側を下げた状態で筐体内に挿入し、上枠部に設けられた上側取付片を、上ユニットの前端部に設けられた上側差込孔に差し込むことによって、上ユニットの前端部が上側取付片によって位置決めされる。この状態で、上ユニットの後端側を下ろし、下ユニットに対して上方から積み重ねる。このとき、下ユニットの左右の第一取付部に設けられた第一固定孔と、上ユニットの左右の両端部に設けられた第二取付部の第二固定孔とが互いに重合するので、上方からネジを差し込んで共締めすることができる。これにより、コンロの組立性が向上し、ネジ止め工程、及び組み立てに必要なネジの本数を削減できる。また、これらの部品の位置決めの為の専用の固定部品が不要となるので、部品点数の削減を図ることができる。さらに本発明では、筺体内に対し、下ユニット及び上ユニットを積み重ねる方向と、第一固定孔及び第二固定孔にネジを固定する方向とが、何れも上方から下方に向かう方向であり、互いに同一方向であるので、下ユニット及び上ユニットを積み重ねて最後にネジを締結するまでの間、作業者が途中で筐体の位置を置き換えたり、筐体の姿勢（向き）を変えたりする必要が無い。これにより、作業者にかかる作業負荷を大幅に低減できる。
【００１４】
請求項２に係る発明のコンロでは、請求項１に記載の効果に加え、筐体の内側において、上枠部から後方に延びる上側取付片に対して、後方から上ユニットの前端部を近づけて配置する。上ユニットの前端部に設けられた上側差込孔に、上側取付片を差し込む。このとき、上側取付片の先端部が上方に屈曲しているので、上ユニットの前端部を、上側取付片に係止させることができる。これにより、上側取付片を支点とし、上ユニットの後端側を回動させて下ろすことができるので、上ユニットを下ユニットの上部に簡単且つ正確に位置決めできる。
【００１５】
請求項３に係る発明のコンロでは、請求項１又は２に記載の効果に加え、作業者が上ユニットを取り付ける際に、上枠部に設けられた開口部を介して、上側取付片を視認できるので、上側取付片に狙いを定めて、上ユニットの前端部に設けられた上側差込孔を位置決めできる。これにより、上ユニットの取り付けにおける作業性が向上する。
【００１６】
請求項４に係る発明のコンロでは、請求項１から３の何れかに記載の効果に加え、筐体内に配置されたグリルユニットの上ユニットに対して、遮熱板を位置決めする。このとき、下ユニットの左右の第一取付部に設けられた第一固定孔と、上ユニットの左右の両端部に設けられた第二取付部の第二固定孔と、遮熱板の左右の両端部に設けられた第三取付部の第三固定孔とが互いに重合するので、上方からネジを差し込んで共締めすることができる。即ち、遮熱板についても、グリルユニットの上ユニットに対して上方から積み重ねて、ネジで共締めするだけであるので、コンロの組立性が向上し、ネジ止め工程、及び組み立てに必要なネジの本数を削減できる。
【００１７】
請求項５に係る発明のコンロでは、請求項４に記載の効果に加え、筐体内のグリルユニットの遮熱板に対して、バーナ取付台を位置決めする。このとき、下ユニットの左右の第一取付部に設けられた第一固定孔と、上ユニットの左右の両端部に設けられた第二取付部の第二固定孔と、遮熱板の左右の両端部に設けられた第三取付部の第三固定孔と、バーナ取付台に設けられた第四取付部の第四固定孔とが互いに重合するので、上方からネジを差し込んで共締めすることができる。即ち、バーナ取付台についても、遮熱板に対して上方から積み重ねて、ネジで共締めするだけであるので、コンロの組立性が向上し、ネジ止め工程、及び組み立てに必要なネジの本数を削減できる。
【００１８】
請求項６に係る発明のコンロでは、請求項５に記載の効果に加え、筐体の側壁に設けられた筐体側差込孔に対して、バーナ取付台の一端部に設けられた台側取付片を差し込むことによって、筐体に対してバーナ取付台が位置決めされる。この状態で、バーナ取付台の位置決めされた一端部側を支点とし、他端側を回動させて下ろすことによって、他端側に設けられた第四取付部を、遮熱板の第三取付部に対して上方から当接させることができる。これにより、バーナ取付台を筐体と遮熱板に対して、正確に位置決めした状態で、ネジで強固に固定できる。
【００１９】
請求項７に係る発明のコンロでは、請求項１から３の何れかに記載の効果に加え、バーナ取付台の第四取付部を、上ユニットの第二取付部に対して上方から当接させる。このとき、下ユニットの左右の第一取付部に設けられた第一固定孔と、上ユニットの左右の両端部に設けられた第二取付部の第二固定孔と、バーナ取付台に設けられた第四取付部の第四固定孔とが互いに重合するので、上方からネジを差し込んで共締めすることができる。即ち、バーナ取付台についても、下ユニットに対して上方から積み重ねて、ネジで共締めするだけであるので、コンロの組立性が向上し、ネジ止め工程、及び組み立てに必要なネジの本数を削減できる。
【００２０】
なお、上記請求項１〜７の一部の構成を任意に組み合わせてもよい。
【図面の簡単な説明】
【００２１】
【図１】コンロ１の斜視図である。
【図２】図１に示すＩ−Ｉ栓矢視方向断面図である。
【図３】天板を取り外したコンロ１の斜視図である。
【図４】筐体２、グリルユニット４０、バーナ取付台２６，２７の分解斜視図である。
【図５】筐体２の斜視図である。
【図６】筐体２の右斜め後方から見た斜視図である。
【図７】ユニット本体部５０の斜視図である。
【図８】筐体２内にユニット本体部５０が取り付けられる状態を示す斜視図である。
【図９】筐体２内にユニット本体部５０が取り付けられた状態を示す斜視図である。
【図１０】ダクト部８０の右側面図である。
【図１１】ダクト部８０の正面図である。
【図１２】ダクト部８０の平面図である。
【図１３】上枠部２４１に設けられた上側引掛爪２４７，２４８に対し、グリルフード６０の上縁部６４のスリット６４１，６４２を引っ掛けた状態を後方から見た斜視図である。
【図１４】ユニット本体部５０の上部に、グリルフード６０が載置された状態を後方から見た斜視図である。
【図１５】ユニット本体部５０の上部に、グリルフード６０が載置された状態の斜視図である。
【図１６】遮熱板７０と筐体２の右側板部２１の間に、バーナ取付台２６が取り付けられる状態を示す斜視図である。
【図１７】遮熱板７０と筐体２の右側板部２１の間に、バーナ取付台２６が取り付けられた状態を示す斜視図である。
【図１８】図１３に示す筐体２の前側部分の縦断面図である。
【発明を実施するための形態】
【００２２】
以下、本発明の実施形態について、図面を参照して説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２３】
図１〜図３を参照して、コンロ１の外観構造を説明する。図１，図２に示すように、コンロ１は、グリル付きテーブルコンロである。コンロ１は、筐体２と天板３を備える。筐体２は、上部が開口する略直方体状に形成されている。天板３は、筐体２の開口する上部にネジ（図示略）で固定されている。天板３の種類は限定しないが、例えばホーロー素材等を採用できる。天板３の右側には、バーナ開口部２０１が設けられ、左側には、バーナ開口部２０２が設けられている。それらバーナ開口部２０１，２０２の夫々の内側を上下に挿通するように、右コンロバーナ５と左コンロバーナ６が設けられている。天板３の左右方向の中央部の後端側には、排気口部９が設けられている。排気口部９は、排気口部９は、筐体２内に設置されたグリル庫５００（図２参照）内のガス燃焼によって生じた燃焼ガスを、外部に排出する。排気口部９には、複数のスリット１９１を備える安全カバー１９０が上側から装着されている。
【００２４】
図２に示すように、筐体２の前板部２４の左右方向の中央部には、正面視略矩形状の開口部２５が設けられている。開口部２５の内側には、後述するグリル庫５００の前側に設けられた正面視略矩形状のグリル開口５０１が配置される。開口部２５には、グリル扉１０が前後方向に移動可能に設けられている。ユーザがグリル扉１０を手前側に引き出すと、グリル扉１０の背面下部に連結した受皿４と焼き網（図示略）を、グリル庫５００内から同時に取り出すことができる。
【００２５】
前板部２４の前面において、グリル扉１０の右側には、ツマミ１１，１２が設けられている。グリル扉１０の左側には、ツマミ１３が設けられている。ツマミ１１〜１３は押し回し式である。ツマミ１１は、右コンロバーナ５を点火する場合に、正面視反時計回りに約９０°押し回しされる。点火後は、時計回りに回動させることによって、火力が大火力から小火力に調節される。ツマミ１１を点火前の位置に戻すと、右コンロバーナ５が消火される。なお、ツマミ１２と１３の操作方法は、ツマミ１１と同じである。ツマミ１２は、グリル庫５００内のグリルバーナ６５（図２参照）を点火する場合に押し回しされる。ツマミ１３は、左コンロバーナ６を点火する為に押し回しされる。ツマミ１３の左側には、電池ボックス１５が設けられている。電池ボックス１５は、コンロ１に電源を供給する乾電池（図示略）を格納する。なお、ツマミ１１〜１３は、押し込み式のスイッチ等であってもよい。
【００２６】
図２〜図４を参照し、筐体２の内部構造を説明する。筐体２の内側における略中央部には、グリルユニット４０が設置されている。グリルユニット４０は、下から順に、グリル庫５００と遮熱板７０を備える（図２，図４参照）。グリル庫５００は、下から順に、ユニット本体部５０とグリルフード６０を備える。ユニット本体部５０は、上面が開口する断面略Ｕ字状の箱型に形成され、内側に被調理物を加熱調理する調理空間を形成する。グリルフード６０は、ユニット本体部５０の開口する上部を塞ぐように、後述するネジ９１，９２（図４参照）で固定される。グリルフード６０は、グリルバーナ６５を備える。遮熱板７０は、グリルフード６０の上面を覆うように隙間を空けて支持され、グリルバーナ６５から伝わる熱を遮断する。これにより、天板３の温度が過度に上昇するのを防止する。
【００２７】
図３に示すように、遮熱板７０の上面の右端側と、筐体２の右側板部２１の上端部との間には、バーナ取付台２６が略水平に渡設されている。バーナ取付台２６には、右コンロバーナ５が取り付けられている。右コンロバーナ５は、バーナ本体部１５１とスロート部１５２を備える。バーナ本体部１５１は、円環状のバーナキャップ１５４が上部に載置されることで、外周面に複数の炎孔部を形成する。スロート部１５２は、バーナ本体部１５１の側面の前側下部に接続し、前方向に延びる。スロート部１５２の前端部には、ガスを流入させる流入口１５３が設けられている。流入口１５３は、後述するガス量調節装置１８のノズル１８Ａに対向配置されている。スロート部１５２は、ノズル１８Ａから噴出されるガスと、該ガスの噴出により引き込まれる筐体２内の空気をスロート部１５２内で混合し、バーナ本体部１５１に供給する。
【００２８】
他方、遮熱板７０の上面の左端側と、筐体２の左側板部２２の上端部との間には、バーナ取付台２７が略水平に渡設されている。バーナ取付台２７には、左コンロバーナ６が取り付けられている。左コンロバーナ６は、バーナ本体部１６１とスロート部１６２を備える。バーナ本体部１６１は、円環状のバーナキャップ１６４が上部に載置されることで、外周面に複数の炎孔部を形成する。スロート部１６２は、バーナ本体部１６１の側面の前側下部に接続し、前方向に延びる。スロート部１６２の前端部には、ガスを流入させる流入口１６３が設けられる。流入口１６３は、後述するガス量調節装置１９のノズル１９Ａに対向配置されている。スロート部１６２は、ノズル１９Ａから噴出されるガスと、ガスの噴出により引き込まれる筐体２内の空気をスロート部１６２内で混合し、バーナ本体部１６１に供給する。
【００２９】
前板部２４の背面側において、ツマミ１１に対応する位置には、右コンロバーナ５用のガス量調節装置１８が設けられている。ガス量調節装置１８は、ガス量調節装置１８はノズル１８Ａを備える。ノズル１８Ａは後方に突出し、右コンロバーナ５のスロート部１５２の流入口１５３に向けてガスを噴出する。ガス量調節装置１８はツマミ１１と接続し、ツマミ１１の回動量に応じてノズル１８Ａから噴出するガス量を調節する。
【００３０】
前板部２４の背面側において、ツマミ１３に対応する位置には、左コンロバーナ６用のガス量調節装置１９が設けられている。ガス量調節装置１９はノズル１９Ａを備える。ノズル１９Ａは後方に突出し、左コンロバーナ６のスロート部１６２の流入口１６３に向けてガスを噴出する。ガス量調節装置１９はツマミ１３と接続し、ツマミ１３の回動量に応じてノズル１９Ａから噴出するガス量を調節する。
【００３１】
前板部２４の背面側において、ツマミ１２に対応する位置には、グリルバーナ６５用のガス量調節装置１６（図１３参照）が設けられている。ガス量調節装置１６のガス出口（図示略）には、ガス配管２８（図３参照）の上流側端部が接続されている。ガス配管２８は後方に延び、バーナ取付台２６の下方を潜って上方に折り返し、さらにグリルバーナ６５のスロート部６５１と略同一高さ位置で左方に屈曲して左方に延びている。ガス配管２８の下流側端部には、ノズル（図示略）が設けられている。該ノズルは左方に突出し、グリルバーナ６５のスロート部６５１の流入口６５３に向けてガスを噴出する。ガス量調節装置１６はツマミ１２と接続し、ツマミ１２の回動量に応じてノズルから噴出するガス量を調節する。
【００３２】
筐体２内には、ガス配管１０１が配設されている。ガス配管１０１の上流側の端部は、筐体２の後板部２３（図２参照）から後方に突出している。そのガス配管１０１の上流側の端部には、管状の接続具１００が設けられている。接続具１００には、図示しないガス元栓から延びるガスホースが接続される。これにより、ガスホースから接続具１００を介して、ガス配管１０１にガスが供給される。ガス配管１０１は、後板部２３側から前方に延び、前板部２４（図３参照）の近傍で右方に略直角に屈曲した後、グリル庫５００の下側を潜り抜けるようにして右方に延び、右壁部５１（図３参照）の近傍まで配設されている。ガス配管１０１には、ガス量調節装置１６，１８，１９が夫々接続されている。ガス配管１０１は、ガス量調節装置１６，１８，１９に対してガスを供給する。
【００３３】
図５，図６を参照し、筐体２の構造を説明する。筐体２は、筐体本体部２０、前板部２４の二つの板金部材を互いに組み付け、ネジ（図示略）で固定することによって構成されている。筐体本体部２０は、前側が開口する平面視略Ｕ字形状に形成されている。筐体本体部２０は、右側板部２１、左側板部２２、後板部２３を備える。後板部２３は、右側板部２１及び左側板部２２の夫々の後端部同士を繋いでいる。そのような筐体本体部２０の開口する前側に、正面視略矩形状の前板部２４がネジで組み付けられている。
【００３４】
前板部２４には、正面視略矩形状の開口部２５が設けられている。開口部２５の右縁部には、後方に突出する右側内壁部２５１が設けられ、左縁部にも、後方に突出する左側内壁部２５２（図５参照）が設けられている。右側内壁部２５１及び左側内壁部２５２は、側面視略三角形状に形成されている。右側内壁部２５１の後端部の上部には、後方に突出する係止爪２５３（図５参照）が設けられている。左側内壁部２５２の後端部の上部には、後方に突出する係止爪２５４が設けられている。係止爪２５３，２５４は、側面視略Ｌ字状に形成され、後方に突出する先端側が上方に屈曲している。これら係止爪２５３，２５４には、ユニット本体部５０の後述する右側面部５１３及び左側面部５２３に夫々設けられたスリット５１３Ａ，５２３Ａ（図７参照）が係止する。
【００３５】
開口部２５の上側には、左右方向に延びる上枠部２４１が設けられている。上枠部２４１は、断面略Ｌ字状に形成され、前面部２４１１と上面部２４１２を備えている。前面部２４１１は、前後方向に面方向を有し、正面視左右方向に延びる略帯状に形成されている。上面部２４１２は、上下方向に面方向を有し、前面部２４１１の上端部から後方に突出する平面視左右方向に延びる略帯状に形成されている。図６に示すように、前面部２４１１の下端部の右側と左側には、上側引掛爪２４７，２４８が設けられている。上側引掛爪２４７，２４８は、後方にて斜め上方に屈曲する側面視略Ｖ字状に形成されている。上側引掛爪２４７，２４８には、グリルフード６０の後述する上縁部６４に設けられた一対のスリット６４１，６４２（図４参照）が係止する。
【００３６】
図５に示すように、上枠部２４１の右側には、窓部２４４が設けられ、左側には、窓部２４５が設けられている。窓部２４４，２４５は、略矩形状の開口部である。窓部２４４，２４５は、前面部２４１１と上面部２４１２に跨るように形成されている。窓部２４４は、上側引掛爪２４７の直上に位置し、窓部２４５は、上側引掛爪２４８の直上に位置する。それ故、コンロ１の組立作業者（以下、作業者と呼ぶ）は、窓部２４４，２４５を上方から見下ろすと、上側引掛爪２４７，２４８の夫々の位置を確認できる。
【００３７】
右側板部２１の前後方向略中央部で且つ上端部近傍には、前後方向に並ぶ一対の引掛孔２１１が設けられている。左側板部２２の前後方向略中央部で且つ上端部近傍にも、前後方向に並ぶ一対の引掛孔２２１が設けられている。
【００３８】
後板部２３の内面において、上端部よりもやや下側で、且つ筐体２内に設置されるユニット本体部５０の右側の後方角部に対応する位置には、前方向に突出する平面視略矩形状の支持片２３１が設けられている。支持片２３１には、上下方向に貫通する固定孔２３１Ａが設けられている。支持片２３１の右端部には、上方に突出する突起部２３１Ｂが設けられている。他方、支持片２３１と同一高さ位置であって、ユニット本体部５０の左側の後方角部に対応する位置には、前方向に突出する平面視略矩形状の支持片２３２が設けられている。支持片２３２には、上下方向に貫通する固定孔２３２Ａが設けられている。支持片２３２の左端部には、上方に突出する突起部２３２Ｂが設けられている。
【００３９】
図７を参照し、ユニット本体部５０の構造を説明する。ユニット本体部５０は、右壁部５１、左壁部５２、底壁部５３、背壁部５４等を備える。
【００４０】
右壁部５１は、右側面視略矩形状に形成されている。右壁部５１の略中央部には、凹部５１４が設けられている。凹部５１４は、左側方に向けて凹状に形成され、且つ右側面視前後方向に長い略矩形状に形成されている。凹部５１４の内側における上端部近傍には、燃焼用二次空気導入用の３つの空気孔５１５が前後方向に並んで設けられている。空気孔５１５は前後方向に延びる略直線状の細孔であり、燃焼用二次空気をグリル庫５００内に取り入れる。このような右壁部５１を外側から覆うようにして、ダクト部８０（図４参照）が取り付けられる。ダクト部８０は、右壁部５１の凹部５１４との間に、燃焼用二次空気を取り入れる為の通路を形成する。
【００４１】
右壁部５１の前端部には、右側面部５１３が設けられている。右側面部５１３は、右壁部５１の前端部から右側方に突出する正面視略矩形状の板部であって、面方向が前後方向に向くように配置されている。右側面部５１３の上部には、前後方向に貫通するスリット５１３Ａが設けられている。スリット５１３Ａは、上下方向に延びる細孔である。スリット５１３Ａは、前板部２４の右側内壁部２５１の後端部に設けられた係止爪２５３（図５参照）に係止される。
【００４２】
右壁部５１の上端部には、上面部５１１が設けられている。上面部５１１は、右壁部５１の上端部から右側方に突出する平面視略帯状の板部であって、面方向が上下方向に向くように配置されている。上面部５１１の前後方向の略中央部位には、凹状に形成された載置面５１２が設けられている。載置面５１２には、ダクト部８０の後述する上側固定部８６が載置される（図４参照）。載置面５１２の前側には、上下方向に貫通する略矩形状の貫通孔５１２Ａが設けられ、後ろ側には、上下方向に貫通する略矩形状の貫通孔５１２Ｂが設けられている。貫通孔５１２Ａと５１２Ｂの間には、円形状の固定孔５１２Ｃが設けられている。
【００４３】
上面部５１１の後端部には、右方に張り出して形成された右側張出部５５が設けられている。右側張出部５５は、側面視略Ｌ字状に形成され、固定部５５１と当接部５５２を備える。固定部５５１は、上面部５１１の後端部から右側方に突出する平面視略矩形状に形成され、面方向が上下方向に向くように設けられている。固定部５５１には、上下方向に貫通する固定孔５５３と差込孔５５４が設けられている。当接部５５２は、固定部５５１の後端部から上方に突出する正面視略矩形状に形成され、面方向が前後方向を向くように設けられている。
【００４４】
左壁部５２は、左側面視略形状に形成されている。左壁部５２の略中央部には、凹部５２４が設けられている。凹部５２４は、右側方に向けて凹状に形成され、且つ左側面視前後方向に長い略矩形状に形成されている。凹部５２４の内側における上端部近傍には、燃焼用二次空気導入用の３つの空気孔５２５が前後方向に並んで設けられている。空気孔５２５は前後方向に延びる略直線状の細孔である。このような左壁部５２を外側から覆うようにして、右壁部５１側と同様に、他方のダクト部８０が取り付けられる。ダクト部８０は、左壁部５２の凹部５２４との間に、燃焼用二次空気を取り入れる為の通路を形成する。
【００４５】
左壁部５２の前端部には、左側面部５２３が設けられている。左側面部５２３は、左壁部５２の前端部から左側方に突出する正面視略矩形状の板部であって、面方向が前後方向に向くように配置されている。左側面部５２３の上部には、スリット５２３Ａが設けられている。スリット５２３Ａは、上下方向に延びる細孔である。スリット５２３Ａは、前板部２４の左側内壁部２５２の後端部に設けられた係止爪２５４に係止される。
【００４６】
左壁部５２の上端部には、上面部５２１が設けられている。上面部５２１は、左壁部５２の上端部から左側方に突出する平面視略帯状の板部であって、面方向が上下方向に向くように配置されている。上面部５２１の前後方向の略中央部位には、凹状に形成された載置面５２２が設けられている。載置面５２２には、ダクト部８０の後述する上側固定部８６が載置される。載置面５２２の前側には、上下方向に貫通する略矩形状の貫通孔５２２Ａが設けられ、後ろ側には、上下方向に貫通する略矩形状の貫通孔５２２Ｂが設けられている。貫通孔５２２Ａと５２２Ｂの間には、円形状の固定孔５２２Ｃが設けられている。
【００４７】
上面部５２１の後端部には、左方に張り出して形成された左側張出部５６が設けられている。左側張出部５６は、側面視略Ｌ字状に形成され、固定部５６１と当接部５６２を備える。固定部５６１は、左壁部５２の上端部から左側方に突出する平面視略帯状に形成され、面方向が上下方向に向くように設けられている。固定部５６１には、上下方向に貫通する固定孔５６３と差込孔５６４が設けられている。当接部５６２は、固定部５６１の後端部から上方に突出する正面視略矩形状に形成され、面方向が前後方向を向くように設けられている。
【００４８】
なお、左右一対のダクト部８０は、右壁部５１と左壁部５２の夫々の外面との間に隙間を形成することで、グリルバーナ６５の燃焼によって温度が上昇する右壁部５１と左壁部５２から熱を伝わり難くすることができる。
【００４９】
図１０〜図１２を参照し、ダクト部８０の構造を説明する。なお、ユニット本体部５０の右壁部５１及び左壁部５２に取り付けられる二つのダクト部８０（図４参照）は、互いに同一部品である。それ故、本実施形態は、説明の便宜上、右壁部５１に取り付けられるダクト部８０の向きを基準にして説明する。
【００５０】
ダクト部８０は、例えば一枚の金属板を折り曲げて形成され、縦壁部８１、第一支持部８２、第一当接部８３、第二支持部８４、第二当接部８５、上側固定部８６等を備える。縦壁部８１は、上下方向に起立した状態で、右側面視前後方向に長い略矩形状に形成されている。縦壁部８１の下端部８１２は、前後方向に略直線状に延びている。第一支持部８２は、縦壁部８１の前端部から右壁部５１の外面側（左方）に屈曲して延び、正面視上下方向に長い略矩形状に形成されている。第一当接部８３は、第一支持部８２の前端部から前方に延び、右側面視上下方向に長い略矩形状に形成されている。第一当接部８３は、ユニット本体部５０の右壁部５１の外面に当接する部位である。第二支持部８４は、縦壁部８１の後端部から右壁部５１の外面側（左方）に屈曲して延び、背面視上下方向に長い略矩形状に形成されている。第二当接部８５は、第一支持部８２の後端部から後方に延び、右側面視上下方向に長い略矩形状に形成されている。第二当接部８５も、ユニット本体部５０の右壁部５１の外面に当接する部位である。
【００５１】
上側固定部８６は、縦壁部８１の上端部８１１から左側方に延び、平面視前後方向に延びる略帯状に形成されている（図１１参照）。上側固定部８６の前側と後ろ側には、上下方向に貫通する平面視略矩形状の貫通孔８６１，８６２が設けられている。前側に位置する貫通孔８６１の内縁部のうち後ろ側の縁部には、下方に突出する差込片８６１Ａ（図１２参照）が設けられている。後ろ側に位置する貫通孔８６２の内縁部のうち前側の縁部には、下方に突出する差込片８６２Ａ（図１２参照）が設けられている。貫通孔８６１と８６２の間には、前後一対の円形状の固定孔８６３，８６４が設けられている。後ろ側に位置する固定孔８６４は、ダクト部８０をユニット本体部５０の右壁部５１に取り付ける際に使用される。前側に位置する固定孔８６３は、ダクト部８０をユニット本体部５０の左壁部５２に取り付ける際に使用される。即ち、上側固定部８６は、長手方向において中央部を基準に対称形状になっている。それ故、本実施形態は、ダクト部８０を右壁部５１及び左壁部５２の何れにも取り付けることができる。
【００５２】
図４を参照し、グリルフード６０の構造を説明する。グリルフード６０は、平面視略矩形の板状に形成されている。グリルフード６０は、フード本体部６１、右縁部６２、左縁部６３、上縁部６４、排気筒６６等を備える。フード本体部６１は、平面視略矩形状に形成されている。フード本体部６１には、グリルバーナ６５が設けられている。グリルバーナ６５は、スロート部６５１と燃焼部６５２（図２参照）を備える。
【００５３】
燃焼部６５２は、フード本体部６１の下面に設けられ、下方に向けて火炎を形成する多数の炎孔を備える。スロート部６５１は、燃焼部６５２の後端部から右方向に延びる（図３参照）。スロート部６５１の右端部には、ガスを流入させる流入口６５３が設けられている。流入口６５３は、ガス配管２８の下流側端部に設けられたノズル（図示略）と対向する。該ノズルは流入口６５３に向かってガスを噴出する。スロート部６５１は、ノズルから噴出されたガスと、ガスの噴出により引き込まれる筐体２内の空気を管内で混合し、燃焼部６５２に供給する。
【００５４】
右縁部６２は、フード本体部６１の右端部から右方に向かって略水平に延設され、平面視前後方向に延びる略帯状に形成されている。右縁部６２の前後方向の略中央部には、円形状の固定孔６２１が設けられている。その固定孔６２１の後方には、係止孔６２２が設けられている。左縁部６３は、フード本体部６１の左端部から左方に向かって略水平に延設され、平面視前後方向に延びる略帯状に形成されている。左縁部６３前後方向の略中央部には、固定孔６３１が設けられている。その固定孔６３１の後方には、係止孔６３２が設けられている。
【００５５】
左縁部６３の上面の後端側には、熱電対６７と点火電極６８が固定部材６９によって固定されている。熱電対６７は前側、点火電極６８は後側に配置されている（図２参照）。熱電対６７と点火電極６８の夫々の先端部は、グリルバーナ６５の燃焼部６５２に隣接する位置に突出するように配置されている（図２参照）。点火電極６８は、ツマミ１２の押し回し操作に基づいて点火スパークを発生させる。それ故、スロート部６５１から燃焼部６５２の各炎孔部に供給されたガスは、グリル庫５００内で燃焼する。熱電対６７は、燃焼部６５２における失火を検出する。
【００５６】
上縁部６４は、フード本体部６１の前端部から垂直上方に屈曲して設けられ、面方向が前後方向に向く正面視左右方向に延びる略矩形の板状に形成されている。上縁部６４の右端側の上部には、左右方向に延びるスリット６４１が設けられている。上縁部６４の左端側の上部にも、左右方向に延びるスリット６４２が設けられている。
【００５７】
排気筒６６は、グリルフード６０の後部に設けられている。排気筒６６は筒状に形成され、下側から上側に向けて設けられている。排気筒６６の上端部には、平面視左右方向に長い略矩形状の開口部６６１が設けられている。開口部６６１は、天板３の後部に設けられた排気口部９の直下に配置される。グリル庫５００内の燃焼により生じた燃焼ガスは、後方に向かって流れ、排気筒６６を上方に流れる（図２中二点鎖線の矢印参照）。排気筒６６は、燃焼ガスを天板３の排気口部９に導く。
【００５８】
排気筒６６の開口部６６１の内側には、フレームトラップ１７（図２参照）が取り付けられる。フレームトラップ１７は、略直方体の板状に構成された消炎部材であり、例えばステンレス等からなるラス網等の２枚の多孔板の両端を曲げ加工し、それを上下方向に向かい合わせて直方体の筒状に形成したものである。万が一、受皿４に溜まった油や被調理物から火炎が生じたとしても、その火炎は、排気筒６６の筒上方上流側に位置する下側の多孔板に接触して冷却される。さらに、各多孔板間には、燃焼ガスや被調理物から生じた炭酸ガスが滞留して酸素濃度が希薄になるため、火炎への酸素供給が滞る。こうした冷却効果及び酸欠効果により、フレームトラップ１７が排気筒６６内の内側にまで延びる火炎を消炎するので、天板３の排気口部９（図１，図２参照）から火炎が溢れ出すのを防止できる。
【００５９】
排気筒６６の上端部には、略枠状の還流防止部材９０が固定されている。還流防止部材９０は、開口部６６１の前側縁部、右側縁部、左側縁部に沿って配置され、開口部６６１と、グリルバーナ６５のスロート部６５１の流入口６５５の間において、天板３の下面との間に生じる隙間を閉塞する。還流防止部材９０は、排気筒６６の開口部６６１から流れる燃焼ガスが、スロート部６５１付近に引き込まれて、グリルバーナ６５及び排気筒６６内を還流するのを防止する。
【００６０】
図４を参照し、遮熱板７０の構造を説明する。遮熱板７０は、金属板で構成され、平面視略矩形状、且つ正面視下側に開口する略コの字型に形成されている。遮熱板７０は、上壁部７１、右壁部７２、左壁部７３、右側固定部７４、左側固定部７５等を備え、グリルフード６０を上方から覆うことができる程度の大きさを備える。
【００６１】
上壁部７１は、平面部７６、傾斜部７７、周縁部７８を備える。平面部７６は、平面視略矩形状に形成され、前側の両角部はテーパ状に形成されている。傾斜部７７は、平面部７６の前縁部、右縁部、左縁部に沿って設けられ、平面視後ろ側に開口する略コの字型に形成されている。傾斜部７７は、外方に向かって下り傾斜している。周縁部７８は、傾斜部７７の下端部（外端部）に沿って設けられ、平面視後ろ側に開口する略コの字型に形成されている。周縁部７８は、傾斜部７７の下端部から外方に向かって略水平に延びている。
【００６２】
平面部７６は、ビード部７６１，７６２を備える。ビード部７６１は、平面部７６の前後方向の略中央位置にて、左右方向に延びる略帯状に形成されている。ビード部７６１は、平面部７６の左右の両端から傾斜部７７まで延びている。ビード部７６２は、平面部７６の後方位置にて、左右方向に延びる略帯状に形成されている。ビード部７６２は、平面部７６から左側に突出し、傾斜部７７まで延びている。ビード部７６１，７６２は、例えば平面部７６を反対側からプレス加工することで形成される。ビード部７６１，７６２は、平面部７６と傾斜部７７の剛性を向上する。
【００６３】
平面部７６の前側半分の領域には、中央側から右斜め前方、中央側から左斜め前方、中央側から右斜め後方、中央側から左斜め後方に夫々延びる４本のビード部７６４が設けられている。ビード部７６４も、例えば平面部７６を反対側からプレス加工することで形成される。ビード部７６４は、平面部７６の剛性を向上する。
【００６４】
周縁部７８の右側部の上面には、位置決め部７８１が設けられている。位置決め部７８１には、前後一対の係止孔７８３が設けられている。周縁部７８の左側部の上面にも、位置決め部７８２が設けられている。位置決め部７８２には、前後一対の係止孔７８４が設けられている。周縁部７８の前端部には、ビード部７６３が設けられている。ビード部７６３は、左右方向に延びる略帯状に形成されている。ビード部７６３は、例えば周縁部７８を反対側からプレス加工することで形成される。ビード部７６３は、周縁部７８の前端側の剛性を向上する。
【００６５】
右側固定部７４の長手方向略中央部には、上下方向に貫通する円形状の固定孔７４１が設けられている。その固定孔７４１の後方には、左側方に略矩形状に窪んだ切欠き部７８５が設けられている。その切欠き部７８５の内縁部には、下方に突出する係止爪７８６が設けられている。他方、左側固定部７５の長手方向略中央部にも、上下方向に貫通する円形状の固定孔７５１（図１６参照）が設けられている。その固定孔７５１の後方には、右側方に略矩形状に窪んだ切欠き部（図示略）が設けられている。その切欠き部の内縁部には、下方に突出する係止爪（図示略）が設けられている。
【００６６】
図４を参照し、バーナ取付台２６，２７の構造を説明する。バーナ取付台２６は、左右方向に長い平面視略矩形状に形成され、例えば金属板のプレス加工によって形成される。バーナ取付台２６は、本体部２６１、垂下部２６２、固定部２６３、水平延設部２６４等を備える。本体部２６１は、平面視左右方向に長い平面視略矩形状に形成されている。本体部２６１には、右コンロバーナ５のバーナ本体部１５１がネジ（図示略）で取り付けられる。本体部２６１の右端部には、上方に向けて凸状に形成された凸状部２６５が設けられている。凸状部２６５は例えばプレス加工で形成できる。その凸状部２６５には、上方に突出する一対の引掛爪２６６が設けられている。凸状部２６５は、本体部２６１の右端部の剛性を補強し、且つ引掛爪２６６を支持する。本体部２６１の前端部及び後端部の夫々の左端側には、下方に向けて屈曲する一対の係止爪２６７が設けられている。本体部２６１の前端部及び後端部の夫々の右端側には、下方に向かって突出する側面視略三角形状の一対の当接部２６８が設けられている。
【００６７】
垂下部２６２は、本体部２６１の前端部の前側部分を除く部分から垂下している。固定部２６３は、垂下部２６２の下端部に沿って設けられ、前方に水平に突出し、且つその前端側が上方に屈曲して形成されている。即ち、垂下部２６２及び固定部２６３は、本体部２６１の前端部に沿うようにして、側面視略コの字型に形成されているので、本体部２６１の剛性を向上できる。固定部２６３の左端側には、上下方向に貫通する固定孔２６９が設けられている。水平延設部２６４は、本体部２６１の左端部から上方に立ち上がり、さらに左方に略直角に屈曲して左方に延設されている。そのような水平延設部２６４の上部には、天板３の下面が配置される。
【００６８】
バーナ取付台２７も、バーナ取付台２６と同様に、本体部２７１、垂下部２７２、固定部２７３、水平延設部２７４等を備える。本体部２７１には、左コンロバーナ６のバーナ本体部１６１がネジ（図示略）で取り付けられる。本体部２７１の左端部には、凸状部２７５が設けられている。その凸状部２７５には、上方に突出する一対の引掛爪２７６が設けられている。本体部２７１の前端部及び後端部の夫々の右端側には、一対の係止爪２７７が設けられている。本体部２７１の前端部及び後端部の夫々の左端側には、一対の当接部２７８が設けられている。固定部２７３の右端側には、上下方向に貫通する固定孔２７９が設けられている。水平延設部２７４は、本体部２７１の右端部に設けられている。水平延設部２７４は、本体部２７１の右端部から上方に立ち上がり、さらに右方に略直角に屈曲して右方に延設されている。そのような水平延設部２７４の上部には、天板３の下面が配置される。
【００６９】
図４〜図１８を参照し、コンロ１の組立工程の一例を説明する。なお、本実施形態では、コンロ１の組立工程において、筐体２の内側に、ユニット本体部５０、ダクト部８０、グリルフード６０、遮熱板７０、及びバーナ取付台２６，２７を下から順に積み上げ、最後にネジ９１，９２で共締め固定するまでを中心に説明し、それ以外の部品の取付工程、天板３の固定工程等については省略する。
【００７０】
−ユニット本体部５０の筐体２内への取り付け−
図６に示すように、作業者は、先ず、前板部２４が手前側になるように、筐体２を作業台（図示略）上に配置する。そして、図８に示すように、筐体２の内側に、ユニット本体部５０を上方から落とし込み、ユニット本体部５０の前端側を下げた状態で、前板部２４の開口部２５に対して後方から近づける。そして、ユニット本体部５０の右側面部５１３に設けられたスリット５１３Ａを、右側内壁部２５１の後端部に設けられた係止爪２５３（図５参照）に対し、上方から係止させる。他方、ユニット本体部５０の左側面部５２３に設けられたスリット５２３Ａを、左側内壁部２５２の後端部に設けられた係止爪２５４に対し、上方から係止させる。これにより、開口部２５に対して、ユニット本体部５０の前端側が位置決めされる。そして、係止爪２５３，２５４は上方に屈曲しているので、右側面部５１３及び左側面部５２３は、係止爪２５３，２５４から後方に抜けない。それ故、右側面部５１３及び左側面部５２３は、係止爪２５３，２５４（図５参照）に係止された状態となる。
【００７１】
そして、ユニット本体部５０は、前端側よりも後端側が上方に浮いた状態であるので、係止爪２５３，２５４を支点として、後端側を下方に回動させる。すると、筐体２の後板部２３の内面に設けられた支持片２３１，２３２（図４参照）の夫々の上面に対し、ユニット本体部５０の右側張出部５５及び左側張出部５６の夫々の固定部５５１，５６１が載置される。このとき、固定部５５１に設けられた差込孔５５４に対し、支持片２３１に設けられた突起部２３１Ｂを挿入し、固定部５６１に設けられた差込孔５６４に対し、支持片２３２に設けられた突起部２３２Ｂを挿入する。これにより、支持片２３１，２３２に対し、固定部５５１，５６１が簡単且つ正確に位置決めされる。
【００７２】
この状態では、支持片２３１，２３２に設けられた固定孔２３１Ａ，２３２Ａと、固定部５５１，５６１に設けられた固定孔５５３，５６３が、上下方向に互いに重合して配置される。そして、図９に示すように、固定孔２３１Ａと固定孔５５３に対し、ネジ９４を上方から締結する。固定孔２３２Ａと固定孔５６３に対し、ネジ９５を上方から締結する。ユニット本体部５０の後端部は、筐体２の後板部２３に固定される。右側張出部５５の当接部５５２の背面と、左側張出部５６の当接部５６２の背面は、筐体２の後板部２３の内面に沿って配置される。このようにして、ユニット本体部５０の筐体２内への取付工程が完了する（図９参照）。
【００７３】
−ダクト部８０の配置−
次いで、ユニット本体部５０の左右両側に、ダクト部８０を夫々配置する（図４参照）。先ず、右壁部５１に取り付けるダクト部８０について、上側固定部８６を、右壁部５１の上面部５１１のうち載置面５１２に載置する。このとき、上側固定部８６に設けられた差込片８６１Ａ，８６２Ａを、載置面５１２に設けられた貫通孔５１２Ａ，５１２Ｂに対して上方から差し込む。これにより、上側固定部８６は、載置面５１２に位置決めされる。この状態では、載置面５１２の固定孔５１２Ｃに対し、上側固定部８６の固定孔８６４が上方向に重合して配置される。ダクト部８０の第一当接部８３及び第二当接部８５は、右壁部５１の外面に当接させる。第一当接部８３は前側、第二当接部８５は後ろ側に配置する。
【００７４】
他方、左壁部５２に取り付けるダクト部８０については、右壁部５１に取り付けたダクト部８０に対して前後方向の向きを逆にする。ダクト部８０の上側固定部８６を、左壁部５２の上面部５２１のうち載置面５２２に載置する。このとき、上側固定部８６に設けられた差込片８６１Ａ，８６２Ａを、載置面５２２に設けられた貫通孔５２２Ａ，５２２Ｂに対して上方から差し込む。これにより、上側固定部８６は、載置面５２２に位置決めされる。この状態では、載置面５２２の固定孔５２２Ｃに対し、上側固定部８６の固定孔８６３が上方向に重合して配置される。ダクト部８０の第一当接部８３及び第二当接部８５は、左壁部５２の外面に当接させる。右壁部５１に配置されたダクト部８０とは逆に、第一当接部８３は後ろ側、第二当接部８５は前側に配置する。このようにして、二つのダクト部８０の配置が完了する。
【００７５】
−グリルフード６０の配置−
次いで、ユニット本体部５０の上部に、グリルフード６０を配置する。先ず、グリルフード６０の前端側を下げた状態で、前板部２４の上枠部２４１（図６参照）に対して後方から近づける。そして、図１３に示すように、グリルフード６０の上縁部６４に設けられたスリット６４１，６４２内に対し、上枠部２４１における前面部２４１１の下端部に設けられた上側引掛爪２４７，２４８を下方から差し込む。このとき、作業者は前板部２４の前側に位置するが、上枠部２４１に設けられた窓部２４４，２４５を介して、上側引掛爪２４７，２４８の夫々の位置を上方から確認できる。これにより、上側引掛爪２４７，２４８に狙いを定めて、スリット６４１，６４２を迅速かつ正確に位置決めできる。上側引掛爪２４７，２４８は上方に屈曲しているので、グリルフード６０の上縁部６４は、上側引掛爪２４７，２４８から後方に抜けない。それ故、上縁部６４は、上側引掛爪２４７，２４８に位置決めされた状態となる。
【００７６】
そして、グリルフード６０は、前端側よりも後端側が浮いた状態であるので、上側引掛爪２４７，２４８を支点として、グリルフード６０の後端側を下方に回動させる。すると、図１４，図１５に示すように、筐体２の右壁部５１の上面部５１１に対し、右側のダクト部８０の上側固定部８６を介して、グリルフード６０の右縁部６２が簡単且つ正確に位置決めされる。そして、上側固定部８６の固定孔８６４（図４参照）に対し、右縁部６２の固定孔６２１が上方向に重合して配置される。他方、左壁部５２の上面部５２１に対し、左側のダクト部８０の上側固定部８６を介して、グリルフード６０の左縁部６３が載置される。そして、上側固定部８６の固定孔８６４（図４参照）に対し、左縁部６３の固定孔６３１が上方向に重合して配置される。このようにして、グリルフード６０の配置が完了する。
【００７７】
−遮熱板７０の配置−
次いで、遮熱板７０を、グリルフード６０の上面を覆うようにして、上方から配置する。先ず、図４に示すように、遮熱板７０の右側固定部７４を、グリルフード６０の右縁部６２の上面に載置する。遮熱板７０の左側固定部７５を、グリルフード６０の左縁部６３の上面に載置する。このとき、遮熱板７０の右側固定部７４に設けられた係止爪７８６を、グリルフード６０の右縁部６２に設けられた係止孔６２２に上方から係止させる。遮熱板７０の左側固定部７５に設けられた係止爪（図示略）を、グリルフード６０の左縁部６３に設けられた係止孔６３２に上方から係止させる。これにより、図２，図４，図１６に示すように、グリルフード６０の上面に対して隙間を空けた状態で、遮熱板７０が位置決めされる。この状態では、右縁部６２の固定孔６２１と、右側固定部７４の固定孔７４１が上下方向に重合して配置される。左縁部６３の固定孔６３１と、左側固定部７５の固定孔７５１が上下方向に重合して配置される。このようにして、遮熱板７０の配置が完了する。
【００７８】
−バーナ取付台２６，２７の配置−
次いで、グリルユニット４０の右側に、バーナ取付台２６を配置する。先ず、図１６に示すように、バーナ取付台２６の右端側を下げ、その右端部に設けられた一対の引掛爪２６６を、筐体２の右側板部２１に設けられた一対の引掛孔２１１に対し、筐体２の内側から挿入して引っ掛ける。一対の引掛爪２６６は、一対の引掛孔２１１から斜め上方に突出するので、バーナ取付台２６の右端部は、右側板部２１に対して係止された状態となる。これにより、一対の引掛爪２６６を支点として、バーナ取付台２６の左端側を下方に回動させる。バーナ取付台２６が略水平になると、バーナ取付台２６の右端部に設けられた一対の当接部２６８が、右側板部２１の内面に当接する。
【００７９】
この状態では、バーナ取付台２６の左端側は、遮熱板７０の右端側の位置決め部７８１に正確に配置される。バーナ取付台２６の左端側に設けられた一対の係止爪２６７を、位置決め部７８１に設けられた一対の係止孔７８３に係止させる。これにより、バーナ取付台２６は、右側板部２１と、遮熱板７０の位置決め部７８１との間を略水平に掛け渡される。そして、バーナ取付台２６の固定部２６３の左端側は、遮熱板７０の右側固定部７４の上面に配置される。右側固定部７４の固定孔７４１に対し、固定部２６３の左端側に設けられた固定孔２６９が上方向に重合して配置される。このようにして、バーナ取付台２６の配置が完了する。
【００８０】
他方、バーナ取付台２７も、バーナ取付台２６と同様に配置する。先ず、バーナ取付台２７の左端側を下げ、その左端部に設けられた一対の引掛爪２７６を、筐体２の左側板部２２に設けられた一対の引掛孔２２１に対し、筐体２の内側から挿入して引っ掛ける。そして、一対の引掛爪２７６を支点として、バーナ取付台２６の右端側を下方に回動させる。バーナ取付台２７が略水平になると、引掛爪２７６は引掛孔２２１から左斜め上方に突出し、さらにバーナ取付台２７の左端部に設けられた一対の当接部２７８が、左側板部２２の内面に当接する。
【００８１】
この状態では、バーナ取付台２７の右端側は、遮熱板７０の左端側の位置決め部７８２に正確に配置される。バーナ取付台２７の右端側に設けられた一対の係止爪２７７を、位置決め部７８２に設けられた一対の係止孔７８４に係止させる。これにより、バーナ取付台２７は、左側板部２２と、遮熱板７０の位置決め部７８２との間を略水平に掛け渡される。そして、バーナ取付台２７の固定部２７３の右端側は、遮熱板７０の左側固定部７５の上面に配置される。左側固定部７５の固定孔７５１（図１７参照）に対し、固定部２７３の左端側に設けられた固定孔２７９が上方向に重合して配置される。このようにして、バーナ取付台２７の配置が完了する。
【００８２】
−ネジ９１，９２で共締め固定−
図４，図１７に示すように、筐体２内において、ユニット本体部５０、ダクト部８０、グリルフード６０、遮熱板７０、及びバーナ取付台２６，２７（図１７では、バーナ取付台２７は図示略）が上積み方式で、下から順に配置されている。そして、ユニット本体部５０の右壁部５１の上面部５１１に対し、ダクト部８０の上側固定部８６、グリルフード６０の右縁部６２、遮熱板７０の右側固定部７４、及びバーナ取付台２６の固定部２６３が順に積み重ねられている。さらに、ユニット本体部５０の左壁部５２の上面部５２１に対し、ダクト部８０の上側固定部８６、グリルフード６０の左縁部６３、遮熱板７０の左側固定部７５、及びバーナ取付台２７の固定部２７３が順に積み重ねられている。
【００８３】
そして、図４に示すように、上面部５１１に設けられた固定孔５１２Ｃ（図９参照）、上側固定部８６に設けられた固定孔８６４、右縁部６２に設けられた固定孔６２１、右側固定部７４に設けられた固定孔７４１、及び固定部２６３に設けられた固定孔２６９が、上下方向に互いに重合して配置されている。さらに、上面部５２１に設けられた固定孔５２２Ｃ（図９参照）、上側固定部８６に設けられた固定孔８６４、左縁部６３に設けられた固定孔６３１、左側固定部７５に設けられた固定孔７５１、及び固定部２７３に設けられた固定孔２７９が、上下方向に互いに重合して配置されている。
【００８４】
そこで、作業者は、互いに重合して配置された右側の固定孔５１２Ｃ，８６４，６２１，７４１，２６９に対し、ネジ９１を上方から締結する。他方、互いに重合して配置された左側の固定孔５２２Ｃ，８６４，６３１，７５１，２７９に対し、ネジ９２を上方から締結する。これにより、筐体２内に取り付けられたユニット本体部５０に対し、ダクト部８０、グリルフード６０、遮熱板７０、及びバーナ取付台２６，２７を一度に共締め固定できる。
【００８５】
このように、本実施形態は、筐体２に対して、ユニット本体部５０、二つのダクト部８０、グリルフード６０、遮熱板７０、及びバーナ取付台２６，２７の順に、上積み方式で重ねることで、固定孔５１２Ｃ，８６４，６２１，７４１，２６９が上下方向に互いに重合し、さらに固定孔５２２Ｃ，８６４，６３１，７５１，２７９が上下方向に互いに重合するので、最後に上方からネジ９１，９２を上方から差し込んで一度に共締めできる。これにより、コンロ１の組立工程を効率よく、短時間で行うことができるので、コンロ１の組立性能を向上できる。
【００８６】
また、ユニット本体部５０、グリルフード６０等の各部品を積み重ねる方向と、ネジ９１，９２を締結する方向とが互いに同一方向（上方から下方）であるので、各部品を積み重ねて最後にネジ９１，９２を締結するまでの間、作業者が途中で筐体２の位置を置き換えたり、筐体２の姿勢（向き）を変えたりする必要も無い。これにより、作業者にかかる作業負荷を大幅に低減できる。さらに、各部品を上方から順に積み重ねて、最後にネジ９１，９２を上方から締結するだけであるので、作業工程が単純である。それ故、作業者による部品の誤組み付けの可能性を低減できる。また、ネジ９１，９２で、ユニット本体部５０、二つのダクト部８０、グリルフード６０、遮熱板７０、及びバーナ取付台２６，２７を共締めできるので、ネジ止め工程、及び組み立てに必要なネジの本数を削減できる。それ故、作業工程を単純化でき、且つネジにかかる費用も低減できる。
【００８７】
以上説明において、図５に示す開口部２５が本発明の「グリル用開口」の一例である。図４に示すユニット本体部５０が本発明の「下ユニット」の一例である。グリルフード６０が本発明の「上ユニット」の一例である。図５に示す係止爪２５３，２５４が本発明の「下側取付片」の一例である。スリット５１３Ａ，５２３Ａが本発明の「下側差込孔」の一例である。図６に示す上側引掛爪２４７，２４８が本発明の「上側取付片」の一例である。図４に示すスリット６４１，６４２が本発明の「上側差込孔」の一例である。ユニット本体部５０の上面部５１１が本発明の「第一取付部」の一例であり、固定孔５１２Ｃが本発明の「第一固定孔」の一例である。グリルフード６０の右縁部６２及び左縁部６３が本発明の「第二取付部」の一例であり、固定孔６２１，６３１が本発明の「第二固定孔」の一例である。
【００８８】
前板部２４の上枠部２４１に設けられた窓部２４４，２４５が本発明の「開口部」の一例である。グリルフード６０の係止孔６２２，６３２と、遮熱板７０の係止爪７８６が、本発明の「第一位置決め部」の一例である。遮熱板７０の右側固定部７４及び左側固定部７５が、本発明の「第三取付部」の一例であり、固定孔７４１，７５１が本発明の「第三固定孔」の一例である。
【００８９】
遮熱板７０の係止孔７８３，７８４と、バーナ取付台２６，２７の係止爪２６７，２７７が本発明の「第二位置決め部」の一例である。バーナ取付台２６，２７の固定部２６３，２７３が本発明の「第四取付部」の一例であり、固定孔２６９，２７９が本発明の「第四固定孔」の一例である。筐体２の右側板部２１に設けられた引掛孔２１１と、左側板部２２に設けられた引掛孔２２１が、本発明の「筐体側差込孔」の一例である。バーナ取付台２６の右端部に設けられた引掛爪２６６と、バーナ取付台２７の左端部に設けられた引掛爪２７６が、本発明の「台側取付片」の一例である。
【００９０】
以上説明したように、本実施形態のコンロ１は、筐体２内にグリルユニット４０を備える。筐体２の前板部２４には、開口部２５が設けられている。開口部２５は、グリルユニット４０の前方に位置する。開口部２５の上側には、上枠部２４１が設けられている。グリルユニット４０は、ユニット本体部５０とグリルフード６０を備える。ユニット本体部５０は、正面視上方に向けて開口するコの字型に形成され、内側に調理空間を形成する。グリルフード６０は、グリルバーナ６５を備え、ユニット本体部５０の開放された上部に積み重ねて装着される。
【００９１】
筐体２の前板部２４に設けられた開口部２５の左右両側には、右側内壁部２５１及び左側内壁部２５２が設けられている。右側内壁部２５１及び左側内壁部２５２の夫々の後端部には、係止爪２５３，２５４が設けられている。上枠部２４１の前面部２４１１の下端部には、上側引掛爪２４７，２４８が後方に突出して設けられている。ユニット本体部５０の右壁部５１及び左壁部５２の夫々の前端部には、右側面部５１３及び左側面部５２３が設けられている。右側面部５１３にはスリット５１３Ａが設けられ、左側面部５２３にはスリット５２３Ａが設けられている。ユニット本体部５０の右壁部５１及び左壁部５２の夫々の前端部には、上面部５１１，５２１が設けられている。上面部５１１，５２１には、固定孔５１２Ｃ，５２２Ｃが設けられている。グリルフード６０の前端部に設けられた上縁部６４には、スリット６４１，６４２が設けられている。グリルフード６０の右縁部６２には、固定孔６２１が設けられ、左縁部６３には、固定孔６３１が設けられている。
【００９２】
上記構成のコンロ１の組立工程では、ユニット本体部５０の前端側を下げた状態で筐体２内に挿入し、右側面部５１３及び左側面部５２３に設けられたスリット５１３Ａ，５２３Ａに対し、開口部２５の右側内壁部２５１及び左側内壁部２５２に設けられた係止爪２５３，２５４を差し込む。これによって、ユニット本体部５０の前端部が、係止爪２５３，２５４によって位置決めされる。次いで、ユニット本体部５０と同様に、グリルフード６０の前端側を下げた状態で、筐体２内に挿入し、上縁部６４に設けられたスリット６４１，６４２に対し、上枠部２４１に設けられた上側引掛爪２４７，２４８を差し込む。これによって、グリルフード６０の前端部が上側引掛爪２４７，２４８によって位置決めされる。この状態で、グリルフード６０の後端側を下ろし、ユニット本体部５０に対して上方から積み重ねる。このとき、ユニット本体部５０の上面部５１１，５２１に設けられた固定孔５１２Ｃ，５２２Ｃと、グリルフード６０の右縁部６２及び左縁部６３に設けられた固定孔６２１，６３１とが上下方向に互いに重合するので、上方からネジ９１，９２を差し込んで共締めできる。これにより、コンロ１の組立性能が向上し、ネジ止め工程、及び組み立てに必要なネジの本数を削減できる。また、これらの部品の位置決めの為の専用の固定部品が不要となり、部品点数の削減を図ることができる。さらにネジ止め箇所が少ないので、作業効率も向上できる。
【００９３】
なお、本発明は上記実施形態に限定されるものではなく、種々の変更が可能である。上記実施形態のコンロ１はグリル付きテーブルコンロであるが、ビルトインタイプのコンロであってもよい。また、コンロ１は、右コンロバーナ５と左コンロバーナ６の２つのコンロバーナを備えるが、コンロバーナの数は２つに限らず、１つでもよく、３つ以上であってもよい。例えば、左コンロバーナ６を備えないコンロの場合、バーナ取付台２７を省略してもよい。
【００９４】
また、上記実施形態のコンロ１は、グリルフード６０の上に、遮熱板７０を設けているが、遮熱板７０を省略してもよい。また、上記実施形態では、グリルフード６０の右縁部６２及び左縁部６３の夫々の上面に対し、遮熱板７０の右側固定部７４及び左側固定部７５を当接することによって、遮熱板７０を支持しているが、遮熱板７０の支持構造は、これ以外の構造でもよい。それ故、例えば、グリルフード６０の右縁部６２及び左縁部６３に対して、遮熱板７０の左右両端部が必ずしも当接していなくてもよい。このような変形例の場合、バーナ取付台２６の左端側を、グリルフード６０の右縁部６２の上面に当接させ、固定部２６３に設けられた固定孔２６９を、右縁部６２に設けられた固定孔６２１に直接重合させてもよい。バーナ取付台２７の右端側についても同様に、グリルフード６０の左縁部６３の上面に当接させ、固定部２７３に設けられた固定孔２７９を、左縁部６３に設けられた固定孔６３１に直接重合させてもよい。
【００９５】
また、上記実施形態の上枠部２４１に設けられた上側引掛爪２４７，２４８、グリルフード６０の上縁部６４のスリット６４１，６４２は、夫々左右一対設けられているが、数は自由に変更であり、一つでもよく、三つ以上でもよい。
【００９６】
また、上記実施形態の上枠部２４１に設けられた窓部２４４，２４５は、略矩形状の開口部であるが、切欠き状に形成された開口部であってもよい。
【００９７】
また、上記実施形態では、グリルフード６０にグリルバーナ６５を設けているが、ユニット本体部５０側にグリルバーナを設けてもよい。
【符号の説明】
【００９８】
１            コンロ
２            筐体
２４            前板部
２５            開口部
２６，２７      バーナ取付台
４０            グリルユニット
５０            ユニット本体部
６０            グリルフード
６２            右縁部
６３            左縁部
６５            グリルバーナ
７０            遮熱板
７４            右側固定部
７５            左側固定部
９１，９２      ネジ
２１１，２２１    引掛孔
２４１            上枠部
２４４，２４５    窓部
２４７，２４８    上側引掛爪
２５３，２５４    係止爪
２６３，２７３    固定部
２６６，２７６    引掛爪
２６７，２７７    係止爪
２６９，２７９    固定孔
５１１，５２１    上面部
５１２Ｃ，５２２Ｃ    固定孔
５１３            右側面部
５１３Ａ，５２３Ａ    スリット
５２３            左側面部
６２１            固定孔
６２２            係止孔
６３１            固定孔
６３２            係止孔
６４１，６４２    スリット
７４１，７５１    固定孔
７８３，７８４    係止孔
７８６            係止爪
２４１１          前面部
２４１２          上面部
【図１】
0006660794.tif 000002
【図２】
0006660794.tif 000003
【図３】
0006660794.tif 000004
【図４】
0006660794.tif 000005
【図５】
0006660794.tif 000006
【図６】
0006660794.tif 000007
【図７】
0006660794.tif 000008
【図８】
0006660794.tif 000009
【図９】
0006660794.tif 000010
【図１０】
0006660794.tif 000011
【図１１】
0006660794.tif 000012
【図１２】
0006660794.tif 000013
【図１３】
0006660794.tif 000014
【図１４】
0006660794.tif 000015
【図１５】
0006660794.tif 000016
【図１６】
0006660794.tif 000017
【図１７】
0006660794.tif 000018
【図１８】
0006660794.tif 000019